(57)【要約】  【課題】生花などの根から切断された植物を用いた祭壇などに使用される盛り花の配置を自由にデザイン可能な切断植物を用いた装飾育成装置を安価且つ容易に製作できるようにするとともに、切断植物の寿命を長くする。  【解決手段】取付台３６に形成した所定の外形の配置スペース１１８内に多数の植物差し込み体８２が配置され、各植物差し込み体８２は、第１の可撓管８０と第２の可撓管８６とで支持される。取付台３６には、養分水循環路が構成され、給水タンク１４内の養分水が養分水循環駆動手段より養分水循環路に沿って循環し、養分水が植物差し込み体８２を通って循環する。第１の可撓管８０をこれと対をなす第２の可撓管８６とともに屈曲させて、植物差し込み体８２の位置を移動させ、各植物差し込み体８２に差し込んだ装飾用切断植物の配置をデザインすることができる。【選択図】図２
2010227530.tif 000002
【特許請求の範囲】
【請求項１】
植物を盛りつけるための所定の外形の配置スペース（１１８）が形成された取付台（３６）と、
根から切断された植物の軸状部分を脱着自在に保持する植物差し込み口（９０）と該植物差し込み口（９０）の下端に形成された循環水流通用のチャンバー（１００）と該循環水流通用チャンバー（１００）に連通する一対の流通口（８４）（８８）とを有し、前記取付台（１０）の配置スペース（１１８）内に多数配置された植物差し込み体（８２）と、
前記取付台（３６）に支承され、植物用の養分水が収納された給水タンク（１４）と、
前記給水タンク（１４）の出口（６２）に連通する往路用本管（１０）と、
前記給水タンク（１４）の入口（６４）に連通する復路用本管（１２）と、
前記往路用本管（１０）に接続され前記取付台（３６）に複数並列状に配置された往路用分岐管（７２）と、
前記復路用本管（１２）に接続され前記取付台（３６）に前記往路用分岐管（７２）ごとにこれと対をなしてほぼ平行に配置された復路用分岐管（７４）と、
前記取付台（３６）の前記配置スペース（１１８）内に位置して複数配置され、各々の下端が前記往復路用分岐管（７２）（７４）の中の一方の分岐管（７２）に接続し、各上端が前記植物差し込み体（８２）の一対の流通口（８４）（８８）の中の一方の流通口（８４）に接続し、屈曲自在且つ屈曲状態保持性を有する直線状に所定長さ延びる細長状の第１の可撓管（８０）と、
前記取付台（３６）の前記配置スペース（１１８）内に位置して前記各第１の可撓管（８０）と並んで配置され、各々の下端が前記往復路用分岐管（７２）（７４）の中の他方の分岐管（７４）に接続し、各上端が前記植物差し込み体（８２）の一対流通口（８４）（８８）の中の他方の流通口（８６）に接続する柔軟性を有する細長状の第２の可撓管（８６）と、
前記給水タンク（１４）内の養分水を該給水タンク（１４）の出口（６２）から前記植物差し込み体（８２）の循環水流通用チャンバー（１００）及び前記往復路用本管（１０）（１２）を経て給水タンク（１４）の入り口（６４）に至る循環路を循環させる養分水循環駆動手段と
を備え、前記第１の可撓管（８０）をこれと対をなす第２の可撓管（８６）とともに屈曲させて、前記植物差し込み体（８２）の位置を移動させることができるようにしたことを特徴とする切断植物を用いた植物育成装置。
【請求項２】
前記給水タンク（１４）内に養分水を殺菌する殺菌装置（３８）を設け、殺菌した養分水を循環させて前記植物差し込み体（８２）の循環水流通用チャンバー（１００）に供給するようにしたことを特徴とする請求項１に記載の切断植物を用いた植物育成装置。
【請求項３】
前記養分水の循環路に水温調整装置（２４）を設け、前記植物差し込み体（８２）の循環水流通用チャンバー（１００）に供給される養分水の温度を適正な一定の温度に保持するようにしたことを特徴とする請求項１に記載の切断植物を用いた装飾育成装置。
【請求項４】
前記養分水循環駆動手段を前記給水タンク（１４）に高圧の空気を供給する空気ポンプ（１８）で構成したことを特徴とする請求項１に記載の切断植物を用いた植物育成装置。
【請求項５】
前記養分水循環駆動手段を前記養分水の循環路に設けた液体用の循環ポンプ（２０）で構成したことを特徴とする請求項１に記載の切断植物を用いた植物育成装置。
【請求項６】
前記第１の可撓管（８０）を前記植物差し込み体（８２）の植物差し込み口（９０）に差した植物の位置を所定の範囲で移動させるのに適した長さの銅管により構成し、前記第２の可撓管（８６）を透明な柔軟性を有する合成樹脂チューブにより構成したことを特徴とする請求項１に記載の切断植物を用いた植物育成装置。
【請求項７】
前記養分水が、浄化ろ過材、活性水発生材、マイナスイオン発生材、殺菌抗菌材の中の少なくとも１つの水質改善材で水質改善処理が施された水であることを特徴とする請求項１に記載の切断植物を用いた植物育成装置。
【請求項８】
前記給水タンク（１４）に補助給水タンク（４６）を電磁弁（３２）を介して接続し、前記補助給水タンク（４６）内の水中に浄化ろ過材、活性水発生材、マイナスイオン発生材、殺菌抗菌材の中の少なくとも１つの水質改善材を入れ、該水質改善材で水質を改善した水を養分水として前記電磁弁（３２）を通じて前記給水タンク（１４）に補給するようにしたことを特徴とする請求項１に記載の切断植物を用いた植物育成装置。
【請求項９】
前記給水タンク（１４）及び／又は前記補助給水タンク（４６）内の水中に酸素を供給する酸素補給手段を設け、前記養分水に酸素を補給するようにしたことを特徴とする請求項８に記載の切断植物を用いた植物育成装置。
【請求項１０】
植物を盛りつけるための所定の外形の配置スペース（１１８）が形成された取付台（３６）と、
根から切断された植物の軸状部分を脱着自在に保持する植物差し込み口（９０）と該植物差し込み口（９０）の下端に形成された循環水流通用のチャンバー（１００）と該循環水流通用チャンバー（１００）に連通する一対の流通口（８４）（８８）とを有し、前記取付台（３６）の配置スペース（１１８）内に多数配置された植物差し込み体（８２）と、
前記取付台（３６）に支承され、植物用の養分水が収納された給水タンク（１４）と、
前記給水タンク（１４）の出口（６２）に連通する往路用本管（１０）と、
前記給水タンク（１４）の入口（６４）に連通する復路用本管（１２）と、
前記往路用本管（１０）に接続され前記取付台（３６）に複数並列状に配置された往路用分岐管（７２）と、
前記複路用本管（１２）に接続され前記取付台（３６）に前記往路用分岐管（７２）ごとにこれと対をなしてほぼ平行に配置された復路用分岐管（７４）と、
前記取付台（３６）の前記配置スペース（１１８）内に位置して複数配置され、各々の下端が前記往復路用分岐管（７２）（７４）の中の一方の分岐管（７２）に接続し、各上端が前記植物差し込み体（８２）の一対の流通口（８４）（８８）の中の一方の流通口（８４）に接続し、屈曲自在且つ屈曲状態保持性を有する直線状に所定長さ延びる細長状の第１の可撓管（８０）と、
前記取付台（３６）の前記配置スペース（１１８）内に位置して前記各第１の可撓管（８０）と並んで配置され、各々の下端が前記往復路用分岐管（７２）（７４）の中の他方の分岐管（７４）に接続し、各上端が前記植物差し込み体（８２）の一対流通口（８４）（８８）の中の他方の流通口（８８）に接続する柔軟性を有する細長状の第２の可撓管（８６）と、
前記給水タンク（１４）内の養分水を該給水タンク（１４）の出口（６２）から前記植物差し込み体（８２）の循環水流通用チャンバー（１００）及び前記往復路用本管（１０）（１２）を経て給水タンク（１４）の入り口（６４）に至る循環路を循環させる養分水循環駆動手段と
でユニット装置（２）を構成し、前記第１の可撓管（８０）をこれと対をなす第２の可撓管（８６）とともに屈曲させて、前記植物差し込み体（８２）の位置を移動させることができるようにし、前記ユニット装置（２）を複数台設け、所望数のユニット装置（２）を互いに隣接配置して脱着可能に合体し、各ユニット装置（２）の前記配置スペース（１１８）を並べ、各ユニット装置（２）がそれぞれ養分水循環動作を行うようにしたことを特徴とする切断植物を用いた植物育成装置。
【発明の詳細な説明】
【技術分野】
【０００１】
本発明は、根から切断された植物を使用した盛り花祭壇、生花創作品等に用いられる切断植物を用いた植物育成装置に関する。
【背景技術】
【０００２】
根から切断した樹木や花は水にさして創作している。祭壇などの大きな創作物は、水を含むスポンジ状の素材や水を入れた容器に、植物の形状を整えて短時間で完成しなければならない。その創作物が大きくなれば比例して労力を要する。創作物は目的が達成されると再利用することなく解体処分されている。この作業は高い芸術性を有する技術者と、花の寿命があり、作業に迅速性が要求されるため多くの人員を動員して創作される。そのため製作費用が高額になる。創作する技術者は少なく、需要に対応することが困難で、一般の業者は受注を躊躇してしまい、普及が難しい現状である。作品は受注生産で、葬儀の創作祭壇は即納であり、対応できる会社が数少ない現状である。創作は現場施工であり、創作しようとする植物の位置は不規則で、水を供給する水源は一定であり、面積や高さを必要とする造形に対応できないためスポンジ状の容体に植え込んでいる。しかも、容器の水は滞留して雑菌や藻が増殖し、差し込んだ植物の切り口や、細胞に養分を送る導管に雑菌や藻が詰まり生育息を阻害し、切断植物の寿命を短くしている。使用した容器は雑菌があり、長期利用は難しい。また生け花などは、薬剤によりわずかな時間を延命している。一般に切断した植物は括れてしまうと言う概念で切花の育成はされていないのが現状である。
【先行技術文献】
【特許文献】
【０００３】
【特許文献１】特開２００４−７３５５１号公報
【発明の概要】
【発明が解決しようとする課題】
【０００４】
祭壇などの水を入れた容器は平面的であり、平面的な容器に高さ、角度、長さを決め、一本ずつ植えて形状を整えるため、高い技術、芸術性が要求され、一般の作業者では製作できない。
使用した容器に雑菌が繁殖して再利用が出来ない、容器の水温の変化が植物の生態に悪影響を及ぼす、植物の寿命が短いため在庫管理が難しい、創作品の形状を維持し、分割・合体の繰り返しが出来ない、工場で量産が出来ないなどの問題点がある。
また、根から切断した植物や切花が長持ちしない要因に、水の腐敗と雑菌・バクテリヤ・不純物・藻が繁殖して、それが差し込んだ植物の切り口や、植物の導管に詰まり生育を阻害し、植物の寿命を短くしている。  
本考案はこれらの課題を解決し、生け花創作品の祭壇や装飾品を工場で大量生産し、繰り返し使用できるようにするとともに、安価な花壇、祭壇、生け花の装飾作品を提供することを目的とするものである。
【課題を解決するための手段】
【０００５】
上記目的を達成するため発明は、
植物を盛りつけるための所定の外形の配置スペース（１１８）が形成された取付台（３６）と、
根から切断された植物の軸状部分を脱着自在に保持する植物差し込み口（９０）と該植物差し込み口（９０）の下端に形成された循環水流通用のチャンバー（１００）と該循環水流通用チャンバー（１００）に連通する一対の流通口（８４）（８８）とを有し、前記取付台（３６）の配置スペース（１１８）内に多数配置された植物差し込み体（８２）と、
前記取付台（３６）に支承され、植物用の養分水が収納された給水タンク（１４）と、
前記給水タンク（１４）の出口（６２）に連通する往路用本管（１０）と、
前記給水タンク（１４）の入口（６４）に連通する復路用本管（１２）と、
前記往路用本管（１０）に接続され前記取付台（３６）に複数並列状に配置された往路用分岐管（７２）と、
前記復路用本管（１２）に接続され前記取付台（３６）に前記往路用分岐管（７２）ごとにこれと対をなしてほぼ平行に配置された復路用分岐管（７４）と、
前記取付台（３６）の前記配置スペース（１１８）内に位置して複数配置され、各々の下端が前記往復路用分岐管（７２）（７４）の中の一方の分岐管（７２）に接続し、各上端が前記植物差し込み体（８２）の一対の流通口（８４）（８８）の中の一方の流通口（８４）に接続し、屈曲自在且つ屈曲状態保持性を有する直線状に所定長さ延びる細長状の第１の可撓管（８０）と、
前記取付台（３６）の前記配置スペース（１１８）内に位置して前記各第１の可撓管（８０）と並んで配置され、各々の下端が前記往復路用分岐管（７２）（７４）の中の他方の分岐管（７４）に接続し、各上端が前記植物差し込み体（８２）の一対流通口（８４）（８８）の中の他方の流通口（８８）に接続する柔軟性を有する細長状の第２の可撓管（８６）と、
前記給水タンク（１４）内の養分水を該給水タンク（１４）の出口（６２）から前記植物差し込み体（８２）の循環水流通用チャンバー（１００）及び前記往復路用本管（１０）（１２）を経て給水タンク（１４）の入り口（６４）に至る循環路を循環させる養分水循環駆動手段と
を備え、前記第１の可撓管（８０）をこれと対をなす第２の可撓管（８６）とともに屈曲させて、前記植物差し込み体（８２）の位置を移動させることができるようにしたものである。
また本発明は、前記給水タンク（１４）内に養分水を殺菌する殺菌装置（３８）を設け、殺菌した養分水を循環させて前記植物差し込み体（８２）の循環水流通用チャンバー（１００）に供給するようにしたものである。
また本発明は、前記養分水の循環路に水温調整装置（２４）を設け、前記植物差し込み体（８２）の循環水流通用チャンバー（１００）に供給される養分水の温度を適正な一定の温度に保持するようにしたものである。
また本考案は、前記養分水循環駆動手段を前記給水タンク（１４）に高圧の空気を供給する空気ポンプ（１８）で構成したものである。
また本発明は、前記養分水循環駆動手段を前記養分水の循環路に設けた液体用の循環ポンプ（２０）で構成したものである。
また本発明は、前記第１の可撓管（８０）を前記植物差し込み体（８２）の植物差し込み口（９０）に差した植物の位置を所定の範囲で移動させるのに適した長さの銅管により構成し、前記第２の可撓管（８６）を透明な柔軟性を有する合成樹脂チューブにより構成したものである。
また本発明は、前記養分水が、浄化ろ過材、活性水発生材、マイナスイオン発生材、殺菌抗菌材の中の少なくとも１つの水質改善材で水質改善処理が施された水であることを特徴とするものである。
また本発明は、前記給水タンク（１４）に補助給水タンク（４６）を電磁弁（３２）を介して接続し、前記補助給水タンク（４６）内の水中に浄化ろ過材、活性水発生材、マイナスイオン発生材、殺菌抗菌材の中の少なくとも１つの水質改善材を入れ、該水質改善材で水質を改善した水を養分水として前記電磁弁（３２）を通じて前記給水タンク（１４）に補給するようにしたものである。
また本発明は、前記給水タンク（１４）及び／又は前記補助給水タンク（４６）内の水中に酸素を供給する酸素補給手段を設け、前記養分水に酸素を補給するようにしたことを特徴とするものである。
また本発明は、
植物を盛りつけるための所定の外形の配置スペース（１１８）が形成された取付台（３６）と、
根から切断された植物の軸状部分を脱着自在に保持する植物差し込み口（９０）と該植物差し込み口（９０）の下端に形成された循環水流通用のチャンバー（１００）と該循環水流通用チャンバー（１００）に連通する一対の流通口（８４）（８８）とを有し、前記取付台（１０）の配置スペース（１１８）内に多数配置された植物差し込み体（８２）と、
前記取付台（３６）に支承され、植物用の養分水が収納された給水タンク（１４）と、
前記給水タンク（１４）の出口（６２）に連通する往路用本管（１０）と、
前記給水タンク（１４）の入口（６４）に連通する復路用本管（１２）と、
前記往路用本管（１０）に接続され前記取付台（３６）に複数並列状に配置された往路用分岐管（７２）と、
前記複路用本管（１２）に接続され前記取付台（３６）に前記往路用分岐管（７２）ごとにこれと対をなしてほぼ平行に配置された復路用分岐管（７４）と、
前記取付台（３６）の前記配置スペース（１１８）内に位置して複数配置され、各々の下端が前記往復路用分岐管（７２）（７４）の中の一方の分岐管（７２）に接続し、各上端が前記植物差し込み体（８２）の一対の流通口（８４）（８８）の中の一方の流通口（８４）に接続し、屈曲自在且つ屈曲状態保持性を有する直線状に所定長さ延びる細長状の第１の可撓管（８０）と、
前記取付台（３６）の前記配置スペース（１１８）内に位置して前記各第１の可撓管（８０）と並んで配置され、各々の下端が前記往復路用分岐管（７２）（７４）の中の他方の分岐管（７４）に接続し、各上端が前記植物差し込み体（８２）の一対流通口（８４）（８８）の中の他方の流通口（８６）に接続する柔軟性を有する細長状の第２の可撓管（８６）と、
前記給水タンク（１４）内の養分水を該給水タンク（１４）の出口（６２）から前記植物差し込み体（８２）の循環水流通用チャンバー（１００）及び前記往復路用本管（１０）（１２）を経て給水タンク（１４）の入り口（６４）に至る循環路を循環させる養分水循環駆動手段と
でユニット装置（２）を構成し、前記第１の可撓管（８０）をこれと対をなす第２の可撓管（８６）とともに屈曲させて、前記植物差し込み体（８２）の位置を移動させることができるようにし、前記ユニット装置（２）を複数台設け、所望数のユニット装置（２）を互いに隣接配置して脱着可能に合体し、各ユニット装置（２）の前記配置スペース（１１８）を並べ、各ユニット装置（２）がそれぞれ養分水循環動作を行うようにしたものである。
【発明の効果】
【０００６】
本発明は、根から切断した植物を用いて、様々なデザインの花壇や祭壇を専門的な修練を必要としないで簡単に作製することができる。また、養分水を循環させて植物に供給するようにしたので、切断植物の寿命を延ばすことができる。
【図面の簡単な説明】
【０００７】
【図１】植物を差したデザイン前の本装置の側面図である。
【図２】植物を差したデザイン後の本装置の側面図である。
【図３】本装置のユニット装置を９台合体した平面図である。
【図４】本装置のユニット装置を９台合体した立面図である。
【図５】本装置のシステム構成図である。
【図６】植物差し込み体の断面図である。
【発明を実施するための形態】
【０００８】
以下に本発明の実施の形態を添付した図面を参照して詳細に説明する。
図５は本装置のユニット装置２のシステム構成図を示し、本装置は、１つのユニット装置２又は２つ以上のユニット装置２が合体して構成される。ユニット装置２は、根から切断した切断植物６を差し込むための多数の差し込み口９０が多数マトリックス状に配置された配列平面からなる切断植物育成床部４と、切断植物に養分水を供給するための養分水循環駆動部８と、この養分水循環駆動部８と植物育成床部４とを接続する往復路用本管１０，１２とから構成され、これらは養分水循環路を構成している。
【０００９】
養分水循環駆動部８は、給水タンク１４と、空気タンク１６と、圧縮空気を吐出する空気ポンプ１８と、養分水循環路の養分水を循環方向に付勢する循環ポンプ２０と、各種機器の駆動と制御を行う制御盤２２と、水温調整装置２４と、電磁弁２６，２８，３０と、養分水循環路の各所に設けられたバルブと、これら各機器間を連通させる配管と、制御盤２２と各機器を電気的に接続する信号線とより構成され、全体がケーシングに収納されている。ケーシングに収納された養分水循環駆動部８は、図１に示すように、脚部にキャスター３４の付いた移動自在な取付台３６の下部に支持されている。
【００１０】
給水タンク１４には、制御盤２２によって電気的にオンオフが制御される殺菌装置３８や、水位センサ４０、圧力センサ４２、水温センサ４３、減圧弁４４が配置され、制御盤２２に、これらセンサ４０，４２，４３により給水タンク１４内の水位４５や水温や給水タンク１４内の空気圧の信号が供給されるように構成されている。給水タンク１４内には、電磁弁３２の設けられた配管を通じて、補助給水タンク４６内の養分水４８が補給されるように構成されている。補助給水タンク４６の上部には、開閉可能なキャップの付いた補給口５０が設けられ、ここから補助給水タンク４６内に養分水が補給される。
【００１１】
ここで養分水とは植物生育に必要な水のことであり、水道水その他一般に用いられる普通の水のことである。補助給水タンク４６内には、市販の浄化ろ過材、活性水発生材、マイナスイオン発生材、殺菌抗菌材が配置され、これら水質改善材により、補助給水タンク４６内の養分水は、切断植物の生育に適した、活性化、浄化ろ過され、殺菌された、マイナスイオンの豊富な養分水となっている。補助給水タンク４６には、減圧弁１０８と水位センサ１１０が設けられている。空気タンク１６の内部は、制御盤２２によって電気的に駆動が制御される空気ポンプ１８の圧縮空気吐出口とバルブを介して連通している。
【００１２】
給水タンク１４内の空気圧の信号は、圧力センサ４２によって、制御盤２２に送られる。空気タンク１６内は、エアー流通パイプ１０６とバルブを介して、補助給水タンク１４内の養分水の水中に配置された酸素排出パイプ５２と連通している。前記空気タンク１６と空気ポンプ１８とパイプ５２は補助給水タンク４６内の養分水に酸素を補給する酸素補給手段を構成している。
一方、空気タンク１６内の圧縮空気は、電磁弁２６と昇圧管５４を通じて、給水タンク１４に供給され、給水タンク１４内に、養分水循環に必要な空気圧を発生させるようにしている。
【００１３】
循環ポンプ２０には、電磁弁２８，３０間にバイパス通路５６が設けられ、循環ポンプ２０を停止したとき、養分水循環路内の養分水がバイパス通路５６を通じて流れるように構成されている。養分水循環駆動部８には、循環水流出口５８と循環水流入口６０が設けられ、循環水流出口５８は、電磁弁３０、循環ポンプ２０、バイパス通路５６、電磁弁２８、水温調整装置２４を通じて、給水タンク１４の出口６２に連通している。一方、循環水流入口６０は、バルブを通じて、給水タンク１４の入り口６４に連通し、また、バルブ１２０を通じて、補助給水タンク４６の入り口６６に連通している。
【００１４】
制御盤２２は、ＤＣ変換装置とバッテリを内蔵し、移動時や停電時でも、バッテリの電力によって、養分水循環駆動部８内の空気ポンプ等の各種電気機器を駆動できるようになっている。また、制御盤２２には、外部ＡＣ電源を取り入れるためのコンセント付きのコード６８が接続している。更に、制御盤２２のインターフェイスには、図４に示すように、他のユニット装置２の制御盤２２のインターフェイスと、ジャック式で接続するための接続口が設けられ、各制御盤２２がコード７０を通じて簡単に接続できるように構成されている。
【００１５】
取付台３６の上部支持枠には、所定間隔を存して、多数の往路用分岐管７２の直線部分７２ａが配置され、各往路用分岐管７２は往路用本管１０に接続している。多数の往路用分岐管７２の直線部分７２ａは、所定の外形の配置スペース（１１８）内に位置して、床面に対して水平な方向に並列状に配列され、取付台３６の上部支持枠に支持されている。また、前記往路用分岐管７２の直線部分７２ａに対して平行に、復路用分岐管７４の直線部分７４ａが所定間隔を存して隣接配置され、配置スペース（１１８）内に位置して、取付台３６の上部支持枠に支持されている。
【００１６】
前記各復路用分岐管７４は、復路用本管１２に接続している。前記各往復路用の分岐管７２，７４の直線部分７２ａ，７４ａの先端は、各々閉じた構成となっており、それぞれにバルブ７６，７８が設けられている。取付台３６の上部には、図５に示すように、配置スペース１１８の、床面に対して水平な面内で多数平行に配設された各往路用分岐管７２の直線部分７２ａごとに、屈曲自在で且つ曲がった状態を保持する屈曲保持性を有する銅などの金属からなる往路用の可撓管８０が、ほぼ等間隔で、床面に対してほぼ垂直な状態で多数直立配置されている。
【００１７】
各可撓管８０の下端は対応する往路用分岐管７２の直線部分７２ａに接続している。各可撓管８０の上端は、図６に示すように、植物差し込み体８２の循環水流通口８４に接続している。また、往路用可撓管８０と対をなして、透明な合成樹脂チューブからなる復路用可撓管８６が直立状態で配置され、各復路用可撓管８６の下端は、対応する復路用分岐管７４の直線部分７４ａに接続している。
【００１８】
各復路用可撓管８６の上端は、図６に示すように、植物差し込み体８２の循環水流通口８８に接続している。図６に示す、植物差し込み体８２は、根から切断した切断植物の茎を差し込むための植物差し込み口９０が形成されたゴム体９２と、該ゴム体９２を嵌合保持する筒体９４と、ゴム体９２を筒体９４に固定するキャップ９６と、筒体９４内に配置されたゴム体受け９８と、切断植物の茎などの軸部を受け入れ、該軸部に循環水を供給する循環水流通用チャンバー１００と、該循環水流通用チャンバー１００内に配置された、殺菌、抗菌機能を有するセラミックからなるボール１０２とを備えている。差し込み口９０は、中空部が円錐状に形成され、循環水流通用チャンバー１００内の高圧循環養分水が外部に漏れない構成となっている。この植物差し込み口９０はゴムの圧力に抗して切断植物の軸部を圧入することができるようになっている。
【００１９】
尚、往路用可撓管８０は、金属製に特に限定されるものではなく、屈曲自在で屈曲保持性を有するものであれば、合成樹脂その他の材料のパイプを使用することができる。また、取付台３６の配置スペース１１８に配置された往路用分岐管７２と復路用分岐管７４は床面に対して水平な構成に特に限定されるものではなく、傾斜した状態であってもよい。往路用可撓管８０の直立部の長さは、植物差し込み口９０の位置を移動して切断植物の配置を自由にデザインするのに適した長さに設定され、本実施形態では、約５０ｃｍに設定されている。往路用可撓管８０と対をなす復路用可撓管８６の直立部の長さも、往路用可撓管８０の長さとほぼ同一に設定されている。
【００２０】
復路用可撓管８６は、屈曲自在な柔軟性を有する透明な合成樹脂チューブから構成されている。前記各復路用可撓管８６の上部には、植物差し込み体８２内の循環水流通用チャンバー１００の循環水の排出量を調整するための調整弁１０４がそれぞれ取り付けられている。往路用分岐管７２の直線部分７２ａと復路用分岐管７４の直線部分７４ａの間には、図５に示すように、多数の植物差し込み体８２が取付台３６の配置スペース１１８上にマトリックス状に配置される。これら植物差し込み体８２の初期マトリックス配置状態は、可撓管８０，８６を屈曲させることで様々な配置状態に変化させることができる。尚、図５中、符号１２２は外気通気バルブである。
【００２１】
次に本装置の動作について説明する。
まず、給水タンク１４内の養分水を植物差し込み体８２に循環的に供給する養分水循環動作について説明する。給水タンク１４内に、予め、補助給水タンク４６内の、浄化ろ過材や活性水発生材やマイナスイオン発生材や殺菌抗菌材で水質改善された養分水を満たしておく。本装置の駆動をスタートさせると、制御盤２２によって、空気ポンプ１８と循環ポンプ２０が駆動状態となる。空気ポンプ１８の高圧出力は、空気タンク１６に伝達され、空気タンク１６内が高圧となる。
【００２２】
この空気タンク１６内の高圧空気は、電磁弁２６、昇圧管５４を通じて給水タンク１４内に伝達され、給水タンク１４内の空気が高圧状態となる。この空気圧は、圧力センサ４２から信号線を通じて制御盤２２の入力部にフィードバックされ、制御盤２２は、このフィードバック信号に基づいて、減圧弁４４を制御し、給水タンク１６内の空気圧を所定の適正な値に制御する。一方、空気タンク１６内の高圧空気は、バルブとパイプ５２を通じて補助給水タンク４６内の養分水４８の水中に供給され、養分水４８に酸素が供給される。給水タンク１４内の養分水は、給水タンク１４内の高圧な空気圧と、循環ポンプ２０の液体圧送力によって、給水タンク１４の出口６２から養分水循環路に押し出される。
【００２３】
給水タンク６２の出口６２から出た養分水は、養分水循環路を経て、給水タンク１４の入り口６４に戻り、養分水は、出口６２と入り口６４との間の養分水循環路を循環する。即ち、給水タンク１４の出口６２を出た養分水は、バルブ、水温調整装置２４の流体通路、電磁弁２８，バルブ、循環ポンプ２０の流体通路、バルブ、電磁弁３０，循環水流出口５８を経て、往路用本管１０に至り、該往路用本管１０から更に各往路用分岐管７２、該分岐管７２の直線部分７２ａ、往路用可撓管８０、植物差し込み体８２の循環水流通用チャンバー１００、復路用可撓管８６、調整弁１０４、復路用分岐管７４の直線部分７４ａ、復路用分岐管７４、バルブ７８、復路用本管１２、循環水流入口６０、バルブを経て、給水タンク１４の入り口６４に流入する。
【００２４】
この養分水は、水温調整装置２４を通ることによって水温が一定に保たれる。上記循環ポンプ２０の運転中、養分水循環路の水圧が設定水圧を超えた場合には、制御盤２２は、この水圧の状態をセンサ４２で検知し、循環ポンプ２０の下流側の、電磁弁３０を調整し、且つ、給水タンク１４側のバルブ１１２を開放して、養分水循環路の水圧を減圧し、所定の適正な水圧に戻す。通常運転において、養分水循環路に所定の範囲内で水圧が保たれているときは、循環ポンプ２０は停止され、バルブ１１４，１１６が閉じられる。
【００２５】
循環ポンプ２０停止状態のとき、電磁弁２８，３０のバイパス側の弁が開放され、水温調整装置２４を経た循環水は、バイパス通路５６を経て、循環水流出口５８に向かう。本装置運転中、制御盤２２は、圧力センサ４２と水温センサ４３の各信号をモニターし、給水タンク１４が適正な圧力を保持し、養分水が適正な水温を保持するように、空気ポンプ１８と水温調整装置２４をオンオフ制御する。
【００２６】
空気ポンプ１８のオンオフ制御の間隔は、空気タンク１６の容量により決定される。本装置の運転中、バルブ１２０及び電磁弁３２は閉じている。給水タンク１４内の養分水の水位が所定値より下がると、水位センサ４０の信号によって、制御盤２２は、この給水タンク１４の水位低下を検知し、電磁弁３２を開放する。これにより、補助給水タンク４６内の養分水は、給水タンク１４の水位が所定の水位に達するまで給水タンク１４に供給される。
【００２７】
次に、植物育成装置を、花壇や祭壇や生け花などのデザイン自在な盛り花飾り台として使用する作業について説明する。
本考案に係る植物育成装置を構成するユニット装置２は、同一構造のものが複数用意され、これらユニット装置２を、互いに隣接配置することで、単一のユニット装置２の切断植物育成床部４の数倍の面積の切断植物育成床を形成できる。隣接配置された各ユニット装置２の制御盤２２は、ジャック式のコード線７０で簡単に相互に電気的に接続することができ、各ユニット装置２において、同一の養分水循環動作を行わせることができる。尚、植物育成装置は、単一のユニット装置２で構成するようにしても良い。
【００２８】
予め用意した、根から切断した切断植物６の軸部を、切断植物育成床部４内の植物差し込み体８２の植物差し込み口９０に差し込み、切断植物の茎などの軸部の先端を循環水流通用チャンバー１００内に突出させ養分水の水中に浸す。該状態で植物差し込み口９０は、切断植物の軸部で栓をされた状態となり、循環水流通用チャンバー１００内の高圧養分水が外部に漏れることがない。植物差し込み体８２を支える一対の可撓管８０，８６は、初期状態では、直線状態であり、各植物差し込み体８２の植物差し込み口９０は、略同一平面上に開口している。
【００２９】
作業者はデザイン図を見ながら、可撓管８０，８６を屈曲させることで、切断植物の配置を変化させ、デザイン図の示す切断植物の外観配置を切断植物育成床部４に構築する。
各植物差し込み体８２に養分水が循環しているか否かは、透明な可撓管８６を観察することで確認することができる。図３は９個のユニット装置２を隣接配置することで合体した状態の平面図を示し、合体した切断植物育成床部４の全体が長方形を形成している。
【００３０】
上記のように、本発明はユニット装置２に循環機能を付け、その構造物の内部に殺菌抗菌材を備え、養分水循環装置で、浄化・濾過材、マイナスイオン水・活性水発生材、酸素補給手段、殺菌装置で清浄な養分水を作り、植物の切り口に供給している。清浄な養分水の循環により植物の切り口はいつも新鮮で、植物循環路にバクテリヤ・雑菌・藻繁殖は見られず、酸素と養分補給ができ、切断植物の寿命が飛躍的に延び、長期間の生育が可能となる。また、植物差し込み体８２を支持する可撓管８０を屈曲して、デザインや設計図書により植物差し込み口９０を自在に移動して所定の位置に固定し、移動しても崩れない創作品を制作できる。
【００３１】
このユニット単位の作品を合体して様々な形状と、大きな花壇や祭壇などの作品を創作することができる。植物差し込み口９０が配置された切断植物育成床部４は作品の構造体になっているため、専門的な修練を必要とせず、誰でも切断植物の飾り付けが可能である。ユニット装置２を工場で大量に生産して在庫品として常設展示して観賞することもでき、合体したユニット装置２を需要に応じて分割解体して使用場所に設置することができる。
【００３２】
これまでの創作品は使用後に解体処分されていたが再利用が可能になり、植材・設置費・創作人件費の削減により安価な作品を広く一般に提供出来る。また特殊な現場でも先に工場で植え付けを完了し、ユニット装置ごとに分割し、これらを現場で組み立てることで、工期の短縮、植え込む容器の削除、人件費の削減、植物の損傷防止などができる。特に夏場の切花は弱るのが早いがこの育成装置により長期間の生育が可能になる。
【符号の説明】
【００３３】
２      ユニット装置
４      切断植物育成床部
６      切断植物
８      養分水循環駆動部  
１０    往路用本管
１２    復路用本管
１４    給水タンク
１６    空気タンク
１８    空気ポンプ
２０    循環ポンプ
２２    制御盤
２４    水温調整装置
２６    電磁弁
２８    電磁弁
３０    電磁弁
３２    電磁弁
３４    キャスター
３６    取付台
３８    殺菌装置
４０    水位センサ
４２    圧力センサ
４３    水温センサ
４４    減圧弁
４５    水位
４６    補助給水タンク
４８    養分水
５０    補給口
５２    酸素排出パイプ
５４    昇圧管
５６    バイパス通路
５８    循環水流出口
６０    循環水流入口
６２    出口
６４    入り口
６８    コード
７０    コード
７２    往路用分岐管
７４    復路用分岐管
７６    バルブ
７８    バルブ
８０    往路用可撓管
８２    植物差し込み体
８４    循環水流通口
８６    復路用可撓管
８８    循環水流通口
９０    植物差し込み口
９２    ゴム体
９４    筒体
９６    キャップ
９８    ゴム体受け
１００  循環水流通用チャンバー
１０２  ボール
１０４  調整弁
１０６  パイプ
１０８  減圧弁
１１０  水位センサ
１１２  バルブ
１１４  バルブ
１１６  バルブ
１１８  配置スペース
１２０  バルブ
１２２  外気通気バルブ
【図１】
2010227530.tif 000003
【図２】
2010227530.tif 000004
【図３】
2010227530.tif 000005
【図４】
2010227530.tif 000006
【図５】
2010227530.tif 000007
【図６】
2010227530.tif 000008